(57)【要約】【課題】液晶表示装置の強度の向上、組み立て性の向上、コストの削減、及び見栄えを向上させることができる液晶表示装置、特に両面液晶表示装置用の筐体及び該筐体を備える液晶表示装置の提供。【解決手段】液晶表示装置１の構成部材を保持、固定する筐体を同一形状の一対の枠部材で構成し、各々の枠部材の側面の４辺を、組み合わせた時に外側に位置する外面部と内側に位置する内面部とで段違いに形成し、外面部と内面部との間に切り込み部を設ける。このように側面を段違いに形成することにより強度及び組み立て性を向上させ、構成部材の位置や間隔のずれに起因する表示品位の劣化を防止できる。また、段違い構造を額縁の中心に対して点対称の位置に配置することにより枠部材のコストを低減でき、更に、表裏のどちらから見ても同一形状になるため両面タイプの液晶表示装置の見栄えも良くできる。【選択図】図１
2005196084.tif 000002
【特許請求の範囲】
【請求項１】
少なくとも表示パネルを保持する筐体であって、
前記筐体は、同一形状の一対の枠部材からなり、
前記一対の枠部材の各々には、一方の前記枠部材と表裏を反転させた他方の前記枠部材とを対向させた時に互いに嵌合する構造を備えることを特徴とする表示装置用筐体。
【請求項２】
少なくとも表示パネルを保持する筐体であって、
前記筐体は、同一形状の一対の枠部材からなり、
各々の前記枠部材は、前記表示パネルの表示画面の周縁を覆う額縁部と、前記表示パネルの側面の少なくとも一部を覆う側面部とからなり、
前記側面部の少なくとも一対の対向する面には、外側に配置される外面部と内側に配置される内面部とからなる段違い構造が対称位置に形成され、かつ、前記外面部と前記内面部との間には切り込みが形成され、
一方の前記枠部材と表裏を反転させた他方の前記枠部材とを対向させることにより、前記一対の枠部材が嵌合されることを特徴とする表示装置用筐体。
【請求項３】
少なくとも表示パネルを保持する筐体であって、
前記筐体は、同一形状の一対の枠部材からなり、
各々の前記枠部材は、前記表示パネルの表示画面の周縁を覆う額縁部と、前記表示パネルの四方の側面を覆う側面部とからなり、
前記四方の側面部の各々の面には、外側に配置される外面部と内側に配置される内面部とからなる段違い構造が前記額縁部の中心に対して点対称の位置に形成され、かつ、前記外面部と前記内面部との間には切り込みが形成され、
一方の前記枠部材と表裏を反転させた他方の前記枠部材とを対向させることにより、前記一対の枠部材が嵌合されることを特徴とする表示装置用筐体。
【請求項４】
相隣り合う前記側面部の角部で前記外面部同士又は前記内面部同士が連続するように、前記外面部及び前記内面部が配置されていることを特徴とする請求項３記載の表示装置用筐体。
【請求項５】
前記側面部の少なくとも一対の対向する面に、前記外面部又は前記内面部が複数形成されることを特徴とする請求項２乃至４のいずれか一に記載の表示装置用筐体。
【請求項６】
対応する前記外面部又は前記内面部の一方に、他方に向かって突出する凸部が形成され、前記外面部又は前記内面部の他方に、前記凸部に嵌合する凹部が形成され、前記凸部と前記凹部とを嵌合させることにより、前記一対の枠部材が固定されることを特徴とする請求項２乃至５のいずれか一に記載の表示装置用筐体。
【請求項７】
対応する前記外面部又は前記内面部の一方に、他方に向かって屈曲する爪部が形成され、前記外面部又は前記内面部の他方に、前記爪部を差し込み可能なスリット部が形成され、前記爪部を前記スリット部に差し込んで引っかけることにより、前記一対の枠部材が固定されることを特徴とする請求項２乃至５のいずれか一に記載の表示装置用筐体。
【請求項８】
更に、前記一対の枠部材の外面の少なくとも一部を覆う外部筐体を備え、
前記外部筐体及び前記一対の枠部材の対応する位置にはネジを挿入可能な形状の穴が形成され、前記一対の枠部材に保持される構成部材の対応する位置には前記ネジに螺合するネジ止め部が形成され、
前記外部筐体の外側から前記ネジを挿入して前記ネジ止め部に螺合させることにより、前記外部筐体及び前記一対の枠部材が固定されることを特徴とする請求項１乃至７のいずれか一に記載の表示装置用筐体。
【請求項９】
液晶パネルと、前記液晶パネルを照明するバックライト装置と、少なくとも前記液晶パネル及び前記バックライト装置を保持する請求項１乃至８のいずれか一に記載の前記筐体と、を少なくとも備えることを特徴とする液晶表示装置。
【請求項１０】
表裏両面を照明する両面バックライト装置と、前記両面バックライト装置の各々の面に配置される一対の液晶パネルと、少なくとも前記一対の液晶パネル及び前記バックライト装置を保持する請求項１乃至８のいずれか一に記載の筐体と、を少なくとも備えることを特徴とする両面液晶表示装置。
【発明の詳細な説明】
【技術分野】
【０００１】
本発明は、筐体及び該筐体を備える表示装置に関し、特に、表裏両面に表示面を備える表示装置に用いて好適な筐体及び該筐体を備える両面表示装置に関する。
【背景技術】
【０００２】
表示装置としては、液晶表示装置やプラズマディスプレイパネル等の平面型表示装置が普及し、その大型化も進んでいる。そのような平面型表示装置の代表例として以下では液晶表示装置を一例として説明する。液晶表示装置は小型、薄型、低消費電力という特質からＯＡ機器やテレビジョンのモニタなどとして広く用いられている。この液晶表示装置は、バックライト光の照射方法によって直下方式（反射板方式）やエッジライト方式（サイドライト方式）、面状光源方式などに分類され、高い輝度を必要とするモニタでは直下方式が主に使用されている。この直下方式の液晶表示装置は、図１５に示すように、対向する透明基板間に液晶が狭持されてなる液晶パネル６と、ＴＣＰ（Tape Carrier Package）８を介して液晶パネル６に接続される基板７と、液晶パネル６を照明するバックライト光を発生するバックライト装置２と、これらを支持する筐体４（シールドフロント）とを主な構成要素としている。
【０００３】
また、バックライト装置２は、図１６に示すように、光源となる複数の棒状のランプ１０と、ランプ１０に電源を供給するインバータ基板１２やリターン基板１３、それらの基板を接続するリターンケーブル１４等の電源回路部と、ランプ１０を保持するランプ支持枠１１と、ランプ１０の光を液晶パネル方向に反射する反射板１５と、ランプ１０の光を拡散する拡散板１８や拡散した光を均一な照明光とする光学シート１９などからなる光学部材と、筐体（バックライトシャーシ２０）とを備えている。
【０００４】
また、近年、表裏の両面に表示面を備える両面液晶表示装置も開発されている。この両面液晶表示装置は、図１７に示すように、表面及び裏面の両方向にバックライト光を照射する両面バックライト装置３と、両面バックライト装置３の各々の面に設置される一対の液晶パネル６ａ、６ｂと、ＴＣＰを介して液晶パネル６ａ、６ｂに接続される基板７ａ、７ｂと、各々の液晶パネル６ａ、６ｂを両面バックライト装置３に保持する筐体４ａ、４ｂ（シールドフロント）とを主な構成要素としている。
【０００５】
この両面タイプの液晶表示装置１に用いられる両面バックライト装置３は、表裏の両面からバックライト光を照射できるように表裏対称に形成され、例えば、図１８に示すように、光源となる複数の棒状のランプ１０と、ランプ１０に電源を供給するためのインバータ基板１２、リターンケーブル１４等の電源回路部と、ランプ１０の両端部を表裏両面から挟み込んでランプ１０を保持するランプ支持枠１１ａ、１１ｂと、ランプ１０の光を液晶パネル方向に反射する反射板１７と、拡散板１８ａ、１８ｂや光学シート１９ａ、１９ｂなどからなる光学部材と、バックライトの筐体（バックライトシャーシ２０ａ、２０ｂ）とを備えている。このような両面液晶表示装置については、例えば、特開２００１−２９０４４５号公報等に記載されている。
【０００６】
【特許文献１】特開２００１−２９０４４５号公報（第３−４頁、第１図）
【発明の開示】
【発明が解決しようとする課題】
【０００７】
このように、多くの構成部材を備える液晶表示装置１では、組み立てを容易にするために、液晶パネルやバックライト装置などのユニットとして構成し、これらのユニットを筐体４や筐体４ａ、４ｂにより一括して保持、固定するが、液晶表示装置１の大画面化、挟額縁化、薄型化が進むと、筐体の額縁部分の幅や液晶表示装置１の厚み方向の幅が小さくなるため、筐体に加わる負荷が大きくなる。また、液晶表示装置１の低価格化を実現するためには、各々のユニットのコストを低減するのみならず、筐体自体のコストを低減し、また、組み立てを容易にして組み立て工数を削減することも重要になってくる。
【０００８】
ここで、従来の液晶表示装置１では、通常、各ユニットを保持する筐体を寸法の大きい枠部材（例えば、図１５の構成では筐体４、図１７の構成では筐体４ａ）と、寸法の小さい枠部材（例えば、図１５の構成ではバックライト装置２のバックライトシャーシ２０、図１７の構成では筐体４ｂ）とで構成し、この寸法の異なる一対の枠部材を嵌合させることによって各ユニットを保持する構造が一般的であるが、このような従来の筐体の構造では次のような問題が発生する。
【０００９】
まず、第１の問題は、液晶表示装置１全体の強度を十分に保つことができないということである。すなわち、一般に枠部材は板金を折り曲げて製造し、枠部材の側面は平板で構成されるために、外力に対して構造的に弱く容易に変形してしまう。特に、大画面化、挟額縁化、薄型化が進むと額縁の幅や側面の幅が小さくなるために、各ユニットを確実に保持することができなくなってしまう。
【００１０】
また、第２の問題は、筐体の組み立てが難しく、組み立て不良に起因する表示品位の劣化が起こりやすいということである。すなわち、寸法の小さい枠部材を覆うように寸法の大きい枠部材を嵌合させる構造では、嵌め込む際に容易に傾いてしまうため、組み立て作業に熟練を要し、傾いて嵌め込まれた場合には各ユニットの位置や間隔がずれてしまい、その結果、表示品位を低下させてしまう。この問題も液晶表示装置１の大画面化、狭額縁化、薄型化に伴ってより顕著に現れる。
【００１１】
また、第３の問題は、寸法の異なる複数種類の枠部材を組み合わせる場合は、複数種類の枠部材を別々に製造しなければならないため、コストの低減が図れないということである。通常、枠部材は金型を用いて板金を加工することにより製造されるが、複数種類の枠部材を用意するためには金型も複数用意しなければならず、その分、設計コストや加工コストが高くなってしまう。また、複数種類の枠部材を組み合わせる構造では、これらの枠部材を区別して管理しなければならず、管理コストも高くなってしまう。
【００１２】
また、第４の問題は、両面タイプの液晶表示装置１では、デザイン上、表裏のどちらの面から見ても外観が同一に見えることが重要であるが、寸法の異なる枠部材を組み合わせる構造では、表裏で外観に差が生じてしまい、その結果、見栄えが悪くなってしまうということである。
【００１３】
このような問題は液晶表示装置に限らず、筐体を用いて少なくとも表示パネルを保持する任意の種類の表示装置においても同様に生じる。
【００１４】
本発明は、上記問題点に鑑みてなされたものであって、その主たる目的は、上記問題を解決することができる筐体の構造及び該筐体を備える表示装置、特に、表裏両面に表示面を備える両面表示装置を提供することにある。
【課題を解決するための手段】
【００１５】
上記目的を達成するため、本発明の筐体は、少なくとも表示パネルを保持する筐体であって、前記筐体は、同一形状の一対の枠部材からなり、前記一対の枠部材の各々には、一方の前記枠部材と表裏を反転させた他方の前記枠部材とを対向させた時に互いに嵌合する構造を備えるものである。
【００１６】
また、本発明の筐体は、少なくとも表示パネルを保持する筐体であって、前記筐体は、同一形状の一対の枠部材からなり、各々の前記枠部材は、前記表示パネルの表示画面の周縁を覆う額縁部と、前記表示パネルの側面の少なくとも一部を覆う側面部とからなり、前記側面部の少なくとも一対の対向する面には、外側に配置される外面部と内側に配置される内面部とからなる段違い構造が対称位置に形成され、かつ、前記外面部と前記内面部との間には切り込みが形成され、一方の前記枠部材と表裏を反転させた他方の前記枠部材とを対向させることにより、前記一対の枠部材が嵌合されるものである。
【００１７】
また、本発明の筐体は、少なくとも表示パネルを保持する筐体であって、前記筐体は、同一形状の一対の枠部材からなり、各々の前記枠部材は、前記表示パネルの表示画面の周縁を覆う額縁部と、前記表示パネルの四方の側面を覆う側面部とからなり、前記四方の側面部の各々の面には、外側に配置される外面部と内側に配置される内面部とからなる段違い構造が前記額縁部の中心に対して点対称の位置に形成され、かつ、前記外面部と前記内面部との間には切り込みが形成され、一方の前記枠部材と表裏を反転させた他方の前記枠部材とを対向させることにより、前記一対の枠部材が嵌合されるものである。
【００１８】
本発明においては、相隣り合う前記側面部の角部で前記外面部同士又は前記内面部同士が連続するように、前記外面部及び前記内面部が配置されている構成とすることができる。
【００１９】
また、本発明においては、前記側面部の少なくとも一対の対向する面に、前記外面部又は前記内面部が複数形成される構成とすることもできる。
【００２０】
また、本発明においては、対応する前記外面部又は前記内面部の一方に、他方に向かって突出する凸部が形成され、前記外面部又は前記内面部の他方に、前記凸部に嵌合する凹部が形成され、前記凸部と前記凹部とを嵌合させることにより、前記一対の枠部材が固定される構成、又は、対応する前記外面部又は前記内面部の一方に、他方に向かって屈曲する爪部が形成され、前記外面部又は前記内面部の他方に、前記爪部を差し込み可能なスリット部が形成され、前記爪部を前記スリット部に差し込んで引っかけることにより、前記一対の枠部材が固定される構成とすることもできる。
【００２１】
また、本発明においては、更に、前記一対の枠部材の外面の少なくとも一部を覆う外部筐体を備え、前記外部筐体及び前記一対の枠部材の対応する位置にはネジを挿入可能な形状の穴が形成され、前記一対の枠部材に保持される構成部材の対応する位置には前記ネジに螺合するネジ止め部が形成され、前記外部筐体の外側から前記ネジを挿入して前記ネジ止め部に螺合させることにより、前記外部筐体及び前記一対の枠部材が固定される構成とすることもできる。
【００２２】
また、本発明の液晶表示装置は、液晶パネルと、前記液晶パネルを照明するバックライト装置と、少なくとも前記液晶パネル及び前記バックライト装置を保持する上記の前記筐体と、を少なくとも備えるものである。
【００２３】
また、本発明の液晶表示装置は、表裏両面を照明する両面バックライト装置と、前記両面バックライト装置の各々の面に配置される一対の液晶パネルと、少なくとも前記一対の液晶パネル及び前記バックライト装置を保持する上記の筐体と、を少なくとも備えるものである。
【００２４】
このように、本発明では、枠部材の側面部の少なくとも一部に、組み合わせた時に外側に位置する外面部と内側に位置する内面部とからなる段違い構造を点対称の位置に形成し、かつ、外面部と内面部との間に切り込みを設けることにより、同一形状の枠部材を嵌め合わせ可能にすることができる。このような構造により、側面部が１枚の平板で構成される筐体に比べて強度を向上させることができると共に、一対の枠部材を他方の枠部材に嵌め合わせる際に対応する外面部と内面部とが互いにガイドとなって双方の枠部材の平行度を保つことができるため、組み立て性も向上させることができ、これにより組み立てに起因する表示品位の劣化を防止することができる。また、各々の枠部材が同一形状であるために筐体自体の製造コストや設計コスト、管理コストを低減することができ、更に、表裏のどちらから見ても同一形状とすることができるために、両面タイプの表示装置に適用した場合には見栄えも良くすることができる。
【発明の効果】
【００２５】
以上説明したように、本発明の筐体及び該筐体を備える表示装置によれば下記記載の効果を奏する。
【００２６】
本発明の第１の効果は、表示装置の強度を向上させることができるということである。
【００２７】
その理由は、枠部材の側面部の少なくとも一部に、組み合わせた時に外側に位置する外面部と内側に位置する内面部とからなる段違い構造を形成しているために、側面が１枚の平板で構成される枠部材に比べて、ねじれなどの外力に対して強い構造を実現することができるからであり、特に、大画面化、挟額縁化、薄型化が進められている液晶表示装置において顕著な効果が得られる。
【００２８】
また、本発明の第２の効果は、組み立て性を向上させ、組み立て不良に起因する表示品位の劣化を防止することができるということである。
【００２９】
その理由は、一対の枠部材を嵌め合わせる際に対応する外面部と内面部とが互いにガイドとなって双方の枠部材の平行度を保つことができるからであり、これにより、双方の枠部材が傾いて嵌め合わされて局部的に応力が加わったり、内部に保持される構成部材の位置や間隔がずれることがなくなるからである。
【００３０】
また、本発明の第３の効果は、コストを低減することができるということである。
【００３１】
その理由は、本発明では、同一形状の枠部材を組み合わせることができるため、枠部材自体の製造コストや設計コスト、枠部材の管理コストを低減することができ、また、枠部材を加工するための金型も１つで済むからである。
【００３２】
また、本発明の第４の効果は、見栄えのよい両面液晶表示装置を製造することができるということである。
【００３３】
その理由は、全く同じ形状の枠部材を組み合わせて両面表示装置が形成されるため、表裏のどちらから見ても同一形状にすることができるからである。
【発明を実施するための最良の形態】
【００３４】
本発明は、その好ましい一実施の形態において、表示装置の構成部材を保持、固定する筐体を同一形状の一対の枠部材を嵌め合わせて形成するという思想に基づいて構成されるものであり、各々の枠部材の側面の少なくとも一部、好ましくは４辺を、組み合わせた時に外側に位置する外面部と内側に位置する内面部とで段違いに形成し、かつ、外面部と内面部との間に、側面の幅の略半分の深さの切り込み部を設ける。このように側面を段違いに形成することにより１枚の平板構造に比べて強度を向上させることができると共に、対向する外面部と内面部とが互いにガイドとして機能するために組み立て性を格段に向上させることができ、内部のユニットの位置や間隔のずれに起因する表示品位の劣化を防止することができる。更に、段違い部分及び切り込み部を、一方の枠部材の表裏を反転させた時に他方の枠部材に嵌め込むことができるように、額縁の中心に対して点対称の位置に配置することにより、枠部材の製造コストや設計コスト、管理コストを低減することができると共に、表裏のどちらから見ても同一形状になるため両面タイプの表示装置の見栄えも良くすることができる。
【実施例】
【００３５】
上記した本発明の一実施の形態についてさらに詳細に説明すべく、本発明の一実施例に係る筐体の構造及び該筐体を備える両面液晶表示装置について、図１乃至図１３を参照して説明する。図１は、両面液晶表示装置を構成部品毎に分解した組み立て図であり、図２は、本実施例に係る筐体を嵌合させた状態を示す斜視図、図３はその上面図及び右側面図、図４及び図５はその断面図である。また、図６乃至図１３は、本実施例の筐体の構造のバリエーションを示す図である。なお、本発明は筐体の構造に特徴を有するものであり、筐体に保持、固定される液晶パネルやバックライト装置などの他の構成部材の構成、形状などは限定されない。
【００３６】
図１に示すように、本実施例の両面液晶表示装置１は、表面及び裏面の両方向にバックライト光を照射する両面バックライト装置３と、両面バックライト装置３の各々の面に設置される液晶パネル６ａ、６ｂと、各々の液晶パネル６ａ、６ｂを両面バックライト装置３に保持する同一形状の筐体４ａ、４ｂとを主な構成要素としている。また、筐体４ａ、４ｂは、液晶パネル６ａ、６ｂの表示面の外縁を覆う額縁部と液晶表示装置１の側面を覆う側面部とからなり、側面部の各々の辺は外面部と内面部とで段違いに形成され、各々の辺の中心には、筐体４ａ、４ｂの幅の略半分の深さの切り込み部が形成されている。
【００３７】
そして、筐体４ａと筐体４ｂとを嵌め合わせると図２及び図３のようになり、一方の筐体４ａと他方の筐体４ｂとが切り込み部２２で組み合わされ、一方の筐体の外面部と他方の筐体の内面部とが組になって嵌合し合う。なお、筐体（枠部材）の材料や形成方法は特に限定されず、従来の一般的な筐体材料であるアルミニウム板をプレス加工して形成してもよいし、プラスチックの射出成型で形成することも可能である。
【００３８】
上記筐体４ａ、４ｂを嵌合させた状態を更に詳しく示すと図４及び図５のようになる。図４は、図３の上面図のＡ−Ａ断面を図の左側から見た図、図５は、図３の右側面図のＢ−Ｂ断面を上面側から見た図である。図５に示すように、上側の筐体４ａは、図の左上方側及び右下方側に外面部２１ｂが配置され、図の右上方側及び左下方側に内面部２１ａが配置されている。一方、筐体４ａの表裏を反転させた下側の筐体４ｂは、図の右上方側及び左下方側に外面部２１ｂが配置され、図の左上方側及び右下方側に内面部２１ａが配置され、切り込み部２２で筐体４ａと筐体４ｂとを組み合わせると、図４及び図５に示すように、外面部２１ｂと内面部２１ａとが組になって２重構造の側面部が形成される。
【００３９】
なお、図５に示すように、各々の筐体４ａ、４ｂの対向する辺の内面部２１ａ及び外面部２１ｂを、筐体の中心に対して点対称となるように配置しているのは、どのように裏返しても（例えば、長辺を軸として裏返しても短辺を軸として裏返しても）、一方の筐体の外面部２１ｂ（又は内面部２１ａ）と他方の筐体４の内面部２１ａ（又は外面部２１ｂ）とが対向するようにするためである。また、図１乃至図５では、内面部２１ａと外面部２１ｂとを同じ大きさで形成しているが、内面部２１ａ又は外面部２１ｂの液晶表示装置１の厚み方向の幅を変えてもよく、例えば、図６に示すように、外面部２１ｂの厚み方向の幅を小さく、内面部２１ａの厚み方向の幅を大きくすることもできる。
【００４０】
また、図１乃至図６では、各々の筐体の角部に外面部２１ｂ同士又は内面部２１ａ同士が配置される構成としているが、図７に示すように、各々の筐体の角部で外面部２１ｂと内面部２１ａとが隣接するように配置（すなわち、全周にわたって外面部２１ｂと内面部２１ａとが交互に配置）されるようにしてもよい。その場合は、一対の筐体４ａ、４ｂを嵌め合わせる際に互いの筐体が干渉しないように角部にも切り込みを設ける必要がある。
【００４１】
また、外面部２１ｂと内面部２１ａとの段差は筐体の材料の厚みや嵌合の程度を考慮して設定することができ、通常は、材料の厚みと同等かそれ以上に設定されるが、一対の筐体４ａ、４ｂを強固に固定したい場合には段差を小さくすればよい。また、図１乃至図７では、外面部２１ｂと内面部２１ａとの連結部を傾斜させ、一対の筐体を嵌め合わせる際に互いに干渉しないようにしているが、その傾斜角は任意に設定することができる。
【００４２】
また、図１乃至図７では、切り込み部２２の切り込みの深さを筐体の側面部の厚み方向の幅の略半分に設定しているが、この切り込み部２２の深さは筐体４ａ、４ｂの重なりの程度などを考慮して適宜設定することができ、例えば、内部の構成部材に負荷が加わらないようにするためには切り込みの深さを筐体の側面の厚み方向の幅の半分以下にすればよいし、筐体４ａと筐体４ｂとが完全に重なるようにするためには切り込みの深さを筐体の側面の厚み方向の幅の半分以上にすればよい。
【００４３】
以上、本実施例の筐体４ａ、４ｂの一例を示したが、同一形状の筐体４ａ、４ｂを嵌め合わせる構造を実現する方法は他にも考えられる。以下、本実施例の筐体の構造のバリエーションについて示す。
【００４４】
図１乃至図７では、筐体４ａ、４ｂの側面部の４辺を段違い構造にしているが、４辺で嵌合させなくても液晶表示装置１の強度を十分に保てる場合や、液晶パネル６ａ、６ｂやバックライト装置３を駆動するための配線を外部に引き出す都合などにより開口部を設ける必要がある場合は、例えば、図８及び図９に示すように、任意の３辺（ここでは図の左右方向の短辺と奥側の長辺）に外面部２１ｂ及び内面部２１ａを形成し、残りの辺（ここでは、手前側の長辺）に関しては側面部の幅を液晶表示装置１の厚みの半分以下にするなどして筐体同士が重なり合わないような構造にすることもできる。なお、この構造の場合は、長辺を軸として裏返した場合には筐体４ａ、４ｂが嵌合しないが、短辺を軸として裏返せば筐体を嵌め合わせることができる。
【００４５】
また、同様に、図１０に示すように、対向する一対の辺（ここでは図の左右方向の短辺）に、外面部２１ｂ及び内面部２１ａを形成し、残りの辺（ここでは図の上下方向の長辺）に関しては側面部の幅を液晶表示装置１の厚みの半分以下にするなどして筐体同士が重なり合わないような構造にすることもできる。この構造の場合、図に示すように筐体の中心に対して点対称となるように外面部２１ｂ及び内面部２１ａを形成すれば、どのように裏返しても筐体同士を嵌め合わせることができるが、短辺方向を軸として線対称になるように外面部２１ｂ及び内面部２１ａを形成した場合（例えば、左右の短辺の上側に内面部２１ａ、下側に外面部２１ｂを形成した場合）であっても、長辺方向を軸として裏返せば筐体を嵌め合わせることができる。
【００４６】
また、図１乃至図１０では、各々の辺に外面部２１ｂ及び内面部２１ａの組を１つ形成しているが、各々の辺に設ける外面部２１ｂ及び内面部２１ａの数は任意であり、例えば、各々の辺に外面部２１ｂ及び内面部２１ａを３つ以上設けることもできる。また、短辺と長辺とで外面部２１ｂ及び内面部２１ａの数を変えてもよく、例えば、図１１に示すように、長辺側の外面部２１ｂ及び内面部２１ａの数を増やして構造上弱い長辺側を補強して筐体の強度の均一化を図ることもできる。
【００４７】
また、図１乃至図１１では、額縁部の幅を同一寸法としたが、ボタンなどの操作手段やスピーカーなどを配置する必要がある場合には、例えば、短辺方向（又は長辺方向）の額縁の幅を変えてもよい。このように額縁が非対称な形状となる場合は、裏返す方向が限定されるため、例えば、図１２に示すように、額縁の幅が等しい辺（ここでは短辺）に外面部２１ｂ及び内面部２１ａを形成する場合は、短辺方向を軸として裏返した場合に外面部２１ｂと内面部２１ａとが組み合わされるように筐体の中心に対して点対称となるように外面部２１ｂ及び内面部２１ａを配置する必要がある。
【００４８】
更に、図１乃至図１２では、筐体４ａと筐体４ｂとを固定する構造に関して記載していないが、筐体４ａと筐体４ｂとを嵌め合わせた状態で固定するために、図１３（ａ）に示すように、対応する外面部２１ｂ及び内面部２１ａの一方（図では外面部２１ｂ）に凸部２３を設け、他方（図では内面部２１ａ）に凸部２３に嵌め合わされる凹部２４を設け、凹凸を嵌合させることにより筐体４ａ、４ｂを固定する構造とすることもできる。このような固定構造を図１７に示すような従来の筐体（寸法の大きい枠部材と寸法の小さい枠部材からなる筐体）に適用した場合、各々の筐体は内側又は外側の一方にのみ押圧されるため、上記構造のみで一対の筐体を強固に固定することができないが、本発明の構造の場合、各々の筐体の内面部２１ａは内側に、外面部２１ｂは外側に押圧されるため、その結果、凹凸の嵌合だけであっても一対の筐体４ａ、４ｂを強固に固定することができる。また、図１３（ｂ）に示すように、対応する外面部２１ｂ及び内面部２１ａの一方（図では外面部２１ｂ）の先端部分にコの字状などに屈曲した爪部２５を設け、他方（図では内面部２１ａ）に爪部２５を差し込み可能な大きさのスリット部２６を設け、爪部２５をスリット部２６に差し込んで引っかけることにより筐体４ａ、４ｂを更に強固に固定することもできる。なお、固定構造は図の構成に限定されるものではなく、また、凸部２３及び凹部２４、爪部２５及びスリット部２６の形状、形成位置、形成数量も筐体に求められる強度、筐体内部に保持する構成部材の配置、隙間の有無などを勘案して適宜設定することができ、例えば、全ての外面部２１ｂ及び内面部２１ａに上記固定構造を形成してもよいし、任意の一対の外面部２１ｂ及び内面部２１ａにのみ上記固定構造を形成してもよいし、各々の外面部２１ｂ及び内面部２１ａに複数組の固定構造を形成してもよいし、凹凸構造と引っかけ構造とを組み合わせて固定してもよい。
【００４９】
また、図１３では、筐体４ａと筐体４ｂとを凹凸構造や引っかけ構造を用いて固定する場合について示したが、筐体４ａ及び筐体４ｂを更に別の構造体を用いて固定することもできる。例えば、図１４に示すように、筐体４ａ及び筐体４ｂの外側に筒状の外部筐体２７を被せ、外部筐体２７、筐体４ａ及び筐体４ｂの相対応する位置に筐体固定ネジ２８を挿入可能な形状の穴を形成し、内部の構成部材（ここでは両面バックライト装置３）には筐体固定ネジ２８に螺合するネジ止め部２９を設け、外部筐体２７の外側から筐体固定ネジ２８を挿入してネジ止め部２９にネジ止めすることにより、外部筐体２７、筐体４ａ、筐体４ｂ及び内部の構成部材を一括して固定することもでき、このような構造とすることにより液晶表示装置１全体の強度を更に向上させることができる。なお、外部筐体２７や筐体固定ネジ２８、ネジ止め部２９の形状、配置、数量、ネジ止め構造などは図の構成に限定されず、液晶表示装置１の一面で固定してもよいし、複数の面で固定してもよいし、一つの面を複数のネジで固定してもよい。また、筐体４ａ又は筐体４ｂの内面部２１ａに筐体固定ネジ２８に螺合するネジ穴を形成し、外部筐体２７、筐体４ａ及び筐体４ｂのみを固定する構造とすることもできる。
【００５０】
このように、筐体４ａ、４ｂの側面部の少なくとも一部に、外面部２１ｂと内面部２１ａとからなる段違い構造を形成し、外面部２１ｂと内面部２１ａとの間に切り込み部２２を形成し、かつ、筐体を裏返して対向させた時に一方の筐体の内面部２１ａ（又は外面部２１ｂ）と他方の筐体の外面部２１ｂ（又は内面部２１ａ）とが組み合わされるように配置することにより、同一形状の筐体を組み合わせて内部のユニットを保持することができる。そして側面部を段違い構造にすることにより、側面部が１枚の平板で構成される筐体に比べて強度を向上させることができ、かつ、各々の外面部２１ｂ及び内面部２１ａが互いにガイドとして機能するため、双方の筐体の平行度を保ったまま簡単に組み立てることができ、構成部材の位置や間隔のずれに起因する表示品位の低下を防止することができる。また、双方の筐体を同一形状とすることによりコストを低減することができ、更に、表裏のどちらの面から見ても外観を同一にすることができるため、見栄えも良くすることができる。
【００５１】
なお、上記説明では、液晶表示装置１を矩形形状とし、筐体４ａ、４ｂの形状も側面が４辺で構成される矩形形状としたが、例えば、液晶表示装置１の形状に合わせて、角部に丸みを持たせた形状や角部を切り落とした多角形、楕円形などとすることもできる。その場合も、各々の筐体の側面部の対向する位置に、筐体の中心に対して点対称になるように外面部２１ｂと内面部２１ａとを配置すればよい。
【００５２】
また、上記各実施例では、本発明の構造の筐体を直下方式の両面液晶表示装置に適用する場合について示したが、本発明は上記実施例に限定されるものではなく、エッジライト方式や面光源方式などの他のバックライトの照射方式や、一方の面のみに表示面を備える液晶表示装置についても同様に適用することができる。又、本発明の構造は液晶表示装置に限らず、内部に配置される表示パネルを挟み込んで固定する表示装置用筐体全般に適用することができる。ここでいう表示パネルとしては、液晶表示パネルに限らず、プラズマディスプレイパネル、有機ＥＬパネル、電界放出型表示装置（ＦＥＤ）等のいわゆる壁掛けテレビ用の平面型表示パネルなどを含むものであることは言うまでもない。
【図面の簡単な説明】
【００５３】
【図１】本発明の一実施例に係る両面液晶表示装置を構成部品毎に分解した組み立て図である。
【図２】本発明の一実施例に係る両面液晶表示装置の外観構成を示す斜視図である。
【図３】本発明の一実施例に係る筐体の構造を示す上面図及び側面図である。
【図４】本発明の一実施例に係る筐体の構造を示す断面図であり、図３のＡ−Ａ断面を左側面側から見た図である。
【図５】本発明の一実施例に係る筐体の構造を示す断面図であり、図３のＢ−Ｂ断面を上面側から見た図である。
【図６】本発明の一実施例に係る筐体の構造のバリエーションを示す斜視図である。
【図７】本発明の一実施例に係る筐体の構造のバリエーションを示す上面図である。
【図８】本発明の一実施例に係る筐体の構造のバリエーションを示す斜視図である。
【図９】本発明の一実施例に係る筐体の構造のバリエーションを示す上面図及び側面図である。
【図１０】本発明の一実施例に係る筐体の構造のバリエーションを示す上面図である。
【図１１】本発明の一実施例に係る筐体の構造のバリエーションを示す上面図である。
【図１２】本発明の一実施例に係る筐体の構造のバリエーションを示す上面図である。
【図１３】本発明の一実施例に係る筐体の固定構造を示す断面図である。
【図１４】本発明の一実施例に係る筐体の固定構造を示す断面図である。
【図１５】従来の液晶表示装置を構成部品毎に分解した組み立て図である。
【図１６】従来のバックライト装置を構成部品毎に分解した組み立て図である。
【図１７】従来の両面液晶表示装置を構成部品毎に分解した組み立て図である。
【図１８】従来のバックライト装置の構成部品毎に分解した組み立て図である。
【符号の説明】
【００５４】
１  液晶表示装置
２  バックライト装置
３  両面バックライト装置
４、４ａ、４ｂ  筐体（シールドフロント）
６、６ａ、６ｂ  液晶パネル
７、７ａ、７ｂ  基板
８、８ａ  ＴＣＰ
１０  ランプ
１１，１１ａ、１１ｂ  ランプ支持枠
１２  インバータ基板
１３  リターン基板
１４  リターンケーブル
１５  反射板
１６  スペーサ
１７  反射板
１８、１８ａ、１８ｂ  拡散板
１９、１９ａ、１８ｂ  光学シート
２０、２０ａ、１９ｂ  バックライトシャーシ
２１ａ  内面部
２１ｂ  外面部
２２  切り込み部
２３  凸部
２４  凹部
２５  爪部
２６  スリット部
２７  外部筐体
２８  筐体固定ネジ
２９  ネジ止め部
【図１】
2005196084.tif 000003
【図２】
2005196084.tif 000004
【図３】
2005196084.tif 000005
【図４】
2005196084.tif 000006
【図５】
2005196084.tif 000007
【図６】
2005196084.tif 000008
【図７】
2005196084.tif 000009
【図８】
2005196084.tif 000010
【図９】
2005196084.tif 000011
【図１０】
2005196084.tif 000012
【図１１】
2005196084.tif 000013
【図１２】
2005196084.tif 000014
【図１３】
2005196084.tif 000015
【図１４】
2005196084.tif 000016
【図１５】
2005196084.tif 000017
【図１６】
2005196084.tif 000018
【図１７】
2005196084.tif 000019
【図１８】
2005196084.tif 000020